(57)【要約】【課題】被加療者が利用し易く、且つ安心して治療を受けることができるもので、扱い易い整体用回転装置を提供する。【解決手段】円盤状のテーブル本体７ａの側面上端部に、テーブル本体７ａの中央部に向かって下り傾斜となる足受板７ｃを設けた回転テーブル７を、足受板７に足を置いた状態で直立している被加療者２４を載せたまま、テーブル本体７ａの下面側に連結されている回転主軸３を、その側方に配置している減速機付モータ４でタイミングベルト５を介して駆動させることで回転テーブル７を回転させる。【選択図】　図１
2004041606.tif 000002
【特許請求の範囲】
【請求項１】
円盤状のテーブル本体に、その中央部に向かって下り傾斜となる足受板が設けられている回転テーブルを備えており、前記足受板に足を置き前記中央部を跨いだ状態で直立している被加療者を載せたまま、前記回転テーブルが駆動装置により回転させられている整体用回転装置であって、
前記テーブル本体の下面側に連結されている回転主軸をその側方に配置している前記駆動装置により、前記回転主軸の中心軸に直交する方向に動く回転動力伝達手段を介して駆動させることで、前記回転テーブルを回転させていることを特徴としている整体用回転装置。
【請求項２】
前記回転テーブルが、前記回転主軸の上端部と連結されている取付テーブルの上に着脱可能に取り付けられていることを特徴とする請求項１記載の整体用回転装置。
【請求項３】
前記回転動力伝達手段にタイミングベルトが用いられていることを特徴としている請求項１または２記載の整体用回転装置。
【請求項４】
前記足受板が前記テーブル本体の縁部に、その一端部が回転可能に取り付けられており、前記足受板とテーブル本体との間に、前記足受板とテーブル本体の上面とが成す角度を変更可能な調節手段が設けられていることを特徴としている請求項１〜３のいずれかに記載の整体用回転装置。
【発明の詳細な説明】
【０００１】
【発明の属する技術分野】
本発明は、Ｏ脚の治療に用いられる装置であって、被加療者を載せた状態で駆動装置により回転させられる回転テーブルを備えた整体用回転装置に関するものである。
【０００２】
【従来の技術】
従来、Ｏ脚の治療に用いられている装置として特開平８−１２６６５４号公報「回転台装置」が知られている。この回転台装置は、内側に中空部のある静止プラットホームのその中空部内に、中心に向かって下り勾配となるすり鉢状の傾斜面を有した傾斜回転板を備えているものである。前記傾斜回転板は、前記静止プラットホームの中央下側にあって出力軸を上に向けた状態で配置されているモータの出力軸に直結された状態となっている。そして、被加療者を前記傾斜回転板上で、前記傾斜面に足を置くようにして直立させ、その姿勢を維持させたまま前記傾斜回転板とともに回転させる。
【０００３】
このように被加療者を回転させると、その下肢に湾曲した方向とは逆向きの矯正力を無理なくかけることができ、且つ遠心力により左右の下肢に均等にその矯正力が負荷されるためバランスの良い治療を施すことができる。
【０００４】
【発明が解決しようとする課題】
しかしながら、前記傾斜回転板はモータの出力軸に直結する構造となっているため、前記傾斜回転板の下側にモータを配置するスペースが必要となる。これにより、前記傾斜回転板の取り付け位置が高くなったり、またそれに伴いプラットホームの位置が高くなったりするため装置自体が嵩高いものとなることがある。
【０００５】
そうすると、被加療者が前記回転台装置の上に上りにくかったり、またその上から降りづらい場合がある。さらに、前記傾斜回転板に載った被加療者は、目線が高くなることによって高さに対する恐怖感が湧き治療に専念できないことがある。
【０００６】
また、前記傾斜回転板は、中央部にある取付孔をモータの出力軸に嵌め込んだ構造となっているため、交換や補修等で取り外した前記傾斜回転板を再び前記出力軸に取り付ける際、前記取付孔を出力軸に合わせづらいことがあり、前記傾斜回転板を出力軸に連結しにくいことがある。
【０００７】
そこで本発明者は、これらの問題点に鑑み、被加療者が利用し易く、且つ安心して治療を受けることができるもので、扱い易い整体用回転装置を提供することを目的としている。
【０００８】
【課題を解決するための手段】
上記の目的を達成するために請求項１記載の整体用回転装置は、円盤状のテーブル本体に、その中央部に向かって下り傾斜となる足受板が設けられている回転テーブルを備えており、前記足受板に足を置き前記中央部を跨いだ状態で直立している被加療者を載せたまま、前記回転テーブルが駆動装置により回転させられているもので、
前記テーブル本体の下面側に連結されている回転主軸をその側方に配置している前記駆動装置により、前記回転主軸の中心軸に直交する方向に動く回転動力伝達動手段を介して駆動させることにより、前記回転テーブルを回転させることを特徴としている。
【０００９】
このような請求項１にかかる整体用回転装置によれば、前記回転テーブルを駆動装置の出力軸に直接接続し回転させる場合のように、前記回転テーブルの下方に、前記駆動装置のスペースを設ける必要がなくなるため、前記回転テーブルの取り付け位置を低く抑えることができる。
【００１０】
なお前記回転動力伝達動手段としては、歯車や摩擦車等を用いることができ、また平ベルトやＶベルト、ローラチェーン等の巻掛伝動手段も用いることができる。
【００１１】
請求項２記載の整体用回転装置は、回転主軸の上端部と連結するようにして取付テーブルを設け、その上に回転テーブルを着脱可能に取り付ける構成とすること特徴としている。
【００１２】
このような請求項２記載の整体用回転装置によれば、前記回転テーブルを取付テーブルの上に載せた状態で取り付ける構成とすることで、前記回転テーブルの回転主軸への連結を容易に行うことができるようになる。
【００１３】
請求項３記載の整体用回転装置は、回転動力伝達手段にタイミングベルトを用いることを特徴としている。
【００１４】
請求項３にかかる整体用回転装置によれば、前記回転動力伝達手段としてタイミングベルトを用いると、駆動中の振動や騒音を抑え、且つ前記駆動装置の動力を確実に回転主軸に伝えることができるため、前記傾斜回転板をスムーズに回転させることができる。
【００１５】
請求項４記載の整体用回転装置は、足受板がテーブル本体の縁部に、その一端部が回転可能に取り付け、前記足受板とテーブル本体との間に、前記足受板とテーブル本体の上面とが成す角を変更できる調節手段を設ける構成とすることを特徴としている。
【００１６】
請求項４にかかる整体用回転装置によれば、回転テーブルそのものを交換することなく、前記足受板とテーブル本体とのなす角を変更することができるため、別の回転テーブルに交換する手間を省くことができる。また、前記調節手段を前記テーブル本体と足受板との間に設けるようにしているため、前記回転テーブルの取り付け位置を低く抑えておくことができる。
【００１７】
【発明の実施の形態】
本発明にかかる整体用回転装置の実施の形態について図１〜３に基づいて以下に説明する。
【００１８】
図１は、本発明にかかる整体用回転装置の実施例を示す側面視断面図であり、図２は、本発明にかかる整体用回転装置の実施例を示す上面図である。図３は、本発明にかかる回転テーブルの他の実施例を示す側面視断面図である。
【００１９】
本実施例の整体用回転装置１は、図１に示すように、足受板７ｃが設けられている回転テーブル７を、断面略矩形の回転テーブル受台２の中央部にある取付テーブル１２上に固定し、この取付テーブル１２の下面中央部に接続している回転主軸３を減速機付モータ４で駆動することにより回転させているものである。そして、回転テーブル７の半径方向外側には、外縁部に沿って一定幅の歩廊８が配置されている（図２参照）。
【００２０】
回転テーブル７は、帯状部材を環状に形成した枠体の内側に、その内径と同じ大きさの円盤状の取付部７ｂが、上端面からやや下がった位置に固定されているテーブル本体７ａを有し、このテーブル本体７ａの外周面上端部に、すり鉢状の傾斜面を有した足受板７ｃが取り付けられているものである。そして、足受板７ｃは、その上に被加療者２４が足を載せた時に撓まないようにするため、下面側でリブ７ｄにより補強されている。
【００２１】
このような回転テーブル７は、取付部７ｂに設けた貫通孔７ｅに取付ボルト１５を通した後、それを取付テーブル１２に形成されているねじ孔７ｆに締め込むことによりテーブル１２上に固定されている。そして、取付部７ｂの上側には、取付ボルト１５の上方を覆うようにして、取付部７ｂと同じ径の円盤状の踏み板１６が、取付部７ｂの上面側の縁部に固定されている取付片７ｇに着脱可能に取り付けられている。
【００２２】
踏み板１６には、パイプ部材で形成された門型の手摺１７が脱可能に取り付けられている。なお、この手摺１７は、被加療者２４にとって不要であれば取り外しておいても良い。
【００２３】
回転テーブル７が固定されている取付テーブル１２は厚みのある円盤状に形成されており、回転テーブル受台２の天板２ａ上に設けられ取付テーブル１２の外径よりやや小さい内径を有した環状のスラスト軸受１４に載せられている。そして、取付テーブル１２の中央部に設けられている貫通孔１２ａに、回転主軸３の上端部が嵌め込まれ、回転主軸３の上端からやや下がった位置に形成されているフランジ部３ａの上面がテーブル１２の下面に接触した状態となっている。この状態でキー溝３ｂにキー（図示せず）を打ち込むとともに、フランジ部３ａを取付テーブル１２の裏面にボルト止めすることで、回転主軸３とテーブル１２とが連結されている。
【００２４】
回転テーブル受台２は断面矩形の箱型のもので、天板２ａの中央部に形成された開口に、筒状に形成されている主軸支持部材１０が挿入され、その開口端部の一方に形成されている大きな径のつば部１０ａで天板２ａに係止されている。この主軸支持部材１０の内側にはラジアル軸受９が嵌め込まれており、主軸支持部材１０に貫通した状態となっている回転主軸３がスムーズに回転できるようになっている。そして、回転主軸３の主軸支持部材１０から突出したその下端部に、タイミングベルト用滑車１１が固定されている。
【００２５】
このような回転主軸３の側方には所定の間隔を設けて減速機付モータ４が配置されており、出力軸を下に向けた状態で可動台２０に取り付けられている。この可動台２０は、回転テーブル受台２の側板２ｂに基端部が接続されているモータ用固定台１９の上で、その上面に沿って水平方向に摺動可能に設けられている。
【００２６】
また、出力軸４ａには可動台２０に設けられているラジアル軸受２４に支持された滑車取付軸２１が接続されている。そして、滑車取付軸２１の下端部にはタイミングベルト用滑車２２が固定されており、このタイミングベルト用滑車２２と、回転主軸３の下端部に取り付けられているタイミングベルト用滑車１１とに、タイミングベルト５が掛け回され、減速機付モータ４により回転主軸３を駆動できるようになっている。
【００２７】
このタイミングベルト５は、回転主軸３の中心軸に直交する方向に回るように張られており、そのテンションは減速機付モータ４が取り付けられている可動台２０を、押しボルト２３を回すことにより動かして、タイミングベルト用滑車１１とタイミングベルト用滑車２２との距離を変えることにより調節可能となっている。
【００２８】
このように回転主軸３が駆動することにより回転する回転板７の周りには、被加療者２４が乗り降りし易いように、その外周縁部に沿って歩廊８が設けられている。この歩廊８は一定の幅で環状に形成されており（図２参照）、一端部が回転テーブル受台２に接続されている受部材１８により支持されている。
【００２９】
なお、本図では省略しているが、減速機付モータ４の電源のＯＮ／ＯＦＦスイッチや、回転板７の回転スピードを変えるツマミを備えた自立型の制御盤が歩廊８に設置されている。
【００３０】
次に、この整体用回転装置１の作用について説明する。
【００３１】
まず被加療者２４を歩廊８の上に上らせる。この際、整体用回転装置１は高さが低く抑えらた構造となっているため、被加療者２４にとって、楽に歩廊８に上がることができる。そして、被加療者２４を停止中の回転テーブル７に移動させ、その中央部をまたぐようにして足を足受板７ｃに置いた状態で回転テーブル７上に直立さる。次に、被加療者２４にその姿勢を維持させたまま、制御盤を操作して減速機付モータ４を駆動させ回転テーブル７をゆっくりと回転させる。そして、徐々に回転スピードをあげてゆき、必要なスピードになったところでそのスピードを維持し、一定時間被加療者２４を回転させる。
【００３２】
こうして回転させられている被加療者２４の下肢には向心力により、下肢の湾曲した方向と逆向きに押す力が、肉体的負担や苦痛を伴うことなく加えられる。また、被加療者２４と回転板７との回転中心がほぼ一致した状態で回転するため、左右の下肢に均等に力が加わる。こうして、左右のバランスの取れた効果的な治療を行うことができる。
【００３３】
なお、回転テーブル７は足受板７ｃの傾斜角度が１０°〜４５°の範囲で設定されたものが用意されており、被加療者２４の症状や治癒状況に応じて、最適な傾斜角度の足受板７ｃを備えた回転テーブル７に交換して使用される。
【００３４】
このような回転テーブルの別の実施例について下記に説明する。
【００３５】
図３に示すように、回転テーブル３７は、テーブル本体３７ａの外周面上端部にピン３８を介して足受板３７ｃが設けられている。この足受板３７ｃは平坦な板状に形成されており、その下面部には、円周方向に等間隔で複数の貫通孔３９ａが形成されている扇状の角度調節板３９が、その円弧中心がピン３８の中心軸上に位置するようにし角度調節板３９に対して垂直に取り付けられている。そして、テーブル本体３７ａの側面部には、角度調節板３９と同程度の大きさの扇状に形成されたピン支持板４０が、その円弧中心をピン３８の中心軸上に位置するようにするとともに、角度調整板３９と平行となるように取り付けられている。このピン支持板４０には、貫通孔３９と同程度の径を有したピン支持用の貫通孔４０ａが形成されている。このような足受板７ｃが、テーブル本体３７ａの対向する反対側の側面部にも設けられている。
【００３６】
この回転テーブル３７は、足受板３７ｃを上下方向に動かして角度調節板３９の貫通孔３９ａの一つを、ピン支持板４０の貫通孔４０ａに合わせた状態で固定ピン４１を挿入して足受板３７ｃの傾きを決める。このようにして、角度調節板３９の貫通孔３９ａを変えることにより、傾斜部３７ｃの傾斜角度を、被加療者の症状や治癒状況等に応じて変えることが可能となる。
【００３７】
なお、この整体用回転装置１は血流量を変化させる効果がある。すなわち、治療中の被加療者は回転させられることでその体を貫く地磁気が変化する。そうすると、電磁誘導（１８３１年、イギリスの科学者マイケル＝ファラデーにより発見された）により脳を含む神経系に電流が流れ出し血流量が増加することとなる。
【００３８】
【発明の効果】
請求項１記載の整体用回転装置は、装置自体の高さを低く抑えることができるため、被加療者の回転テーブルの上り下りが楽になり利用し易いものとなる。また、回転テーブル上で治療中の被加療者は、目線が低いため高さによる恐怖心を感じることがなく安心して治療を受けることができる。そして、装置自体の高さが低いため回転テーブルの交換や補修の際、取り付けや取り外しの作業が簡単になる。
【００３９】
請求項２記載の整体用回転装置は、回転テーブルは、取付テーブルに取り付けるだけで回転主軸と連結できるため、回転テーブルの交換やメンテナンス時の、着脱作業をよりいっそう簡単に行うことができるようになる。さらに、請求項１の効果と相まって、一人でも回転テーブルの着脱作業を楽に行うことができるようになる。
【００４０】
請求項３記載の整体用回転装置は、タイミングベルトを用いることで、運転中の振動や騒音の発生が抑えられ回転テーブルの回転もスムーズであるため、被加療者が快適に治療を受けることができる。また、ローラチェーンを用いた場合のように、給油や給脂を行う必要がないためメンテナンスの際の手間も減らすことができる。
【００４１】
請求項４記載の整体用回転装置は、回転テーブルを交換することなく被加療者の症状に合わせた治療を行うことができるため、症状の違う被加療者ごとに回転テーブルを交換するような手間を省くことができる。また、多数の回転テーブルを用意しておく必要もないためその置き場所に困るといったことがない。さらに、装置本体の高さが低いため足受板の角度調節も手軽に行うことができる。
【図面の簡単な説明】
【図１】本発明にかかる整体用回転装置の実施例を側面視断面図である。
【図２】本発明にかかる整体用回転装置の実施例を示す上面図である。
【図３】本発明にかかる回転テーブルの他の実施例を示す側面視断面図である。
【符号の説明】
１　整体用回転装置
３　回転主軸
４　減速機付モータ
５　タイミングベルト
７　回転テーブル
７ａ　テーブル本体
７ｃ　足受板
１２　取付テーブル
２４　被加療者
【図１】
2004041606.tif 000003
【図２】
2004041606.tif 000004
【図３】
2004041606.tif 000005